(57)【要約】【課題】高効率および安定した光出力を持つ光源モジュールを提供する。【解決手段】光源モジュールは、交流（ＡＣ）電源に基づき、整流された信号を発生する全波整流器、前記整流された信号に基づき、定電流信号を出力する定電流出力集積回路（ＩＣ）、および前記定電流出力ＩＣと接地との間に接続された少なくとも１つの高駆動電圧発光ダイオード（ＨＶＬＥＤ）ダイを含み、前記ＨＶＬＥＤダイの輝度は、定電流信号によって決まる。【選択図】図３
2011249771.tif 000002
【特許請求の範囲】
【請求項１】
光源モジュールであって、
交流（ＡＣ）電源に基づき、整流された信号を発生する全波整流器、
前記整流された信号に基づき、定電流信号を出力する定電流出力集積回路（ＩＣ）、および
前記定電流出力ＩＣと接地との間に接続された少なくとも１つの高駆動電圧発光ダイオード（ＨＶＬＥＤ）ダイを含み、
前記ＨＶＬＥＤダイの輝度は、前記定電流信号によって決まる光源モジュール。
【請求項２】
前記全波整流器と前記定電流出力ＩＣとの間に接続され、前記整流された信号をフィルタリングするローパスフィルタを更に含み、このローパスフィルタは前記全波整流器と前記定電流出力ＩＣとの間に接続されたレジスタ、および前記レジスタと前記接地との間に接続されたコンデンサを含む請求項１に記載の光源モジュール。
【請求項３】
前記定電流出力ＩＣおよび前記ＨＶＬＥＤダイとの間に接続され、前記定電流信号を調整する電圧低下ユニットを更に含み、
前記ＨＶＬＥＤダイの駆動電圧は、１０ボルトより大きい請求項１に記載の光源モジュール。
【請求項４】
前記電圧低下ユニットは、レジスタまたはツェナーダイオードを含む請求項３に記載の光源モジュール。
【請求項５】
前記ＨＶＬＥＤダイは、複数の発光ダイオードを含み、前記ＨＶＬＥＤダイの発光波長は、２００ｎｍ〜８００ｎｍの範囲にある請求項１に記載の光源モジュール。
【請求項６】
前記定電流出力ＩＣに接続され、前記定電流出力ＩＣによって出力された前記定電流信号の電流値を調整して、前記ＨＶＬＥＤダイの輝度を制御する第１制御器を更に含み、前記定電流信号の前記電流値が３ｍＡより大きい請求項１に記載の光源モジュール。
【請求項７】
前記定電流出力ＩＣと前記ＨＶＬＥＤダイとの間に接続された可変レジスタ、および
前記可変レジスタに接続され、前記可変レジスタの抵抗値を調整して前記ＨＶＬＥＤダイの輝度を制御する第２制御器を更に含む請求項１に記載の光源モジュール。
【請求項８】
前記全波整流器と前記定電流出力ＩＣとの間に接続され、熱検出レジスタを含む熱補償駆動電流ユニットを更に含み、
前記熱補償駆動電流ユニットは、ＨＶＬＥＤダイの温度変化を検出し、前記熱検出レジスタの抵抗値を調整して前記定電流出力ＩＣにフィードバック信号を伝送し、前記定電流信号の電流値を変える請求項１に記載の光源モジュール。
【請求項９】
前記ＡＣ電源と前記全波整流器との間に接続され、前記定電流信号の電流値を変えてＨＶＬＥＤダイの輝度を調整するトライアック（TRIAC）を更に含む請求項１に記載の光源モジュール。
【請求項１０】
光源モジュールであって、
ＡＣ電源に基づき、整流された信号を発生する全波整流器、
前記整流された信号に基づき、少なくとも１つの定電流信号を出力する少なくとも１つの定電流出力ＩＣ、
接地に接続された複数のＨＶＬＥＤダイ、および
前記定電流出力ＩＣと対応するＨＶＬＥＤダイとの間にそれぞれ接続された複数の電圧低下ユニットを含み、
前記ＨＶＬＥＤダイのそれぞれの輝度は、前記定電流信号および対応する電圧低下ユニットによって決まる光源モジュール。
【請求項１１】
前記全波整流器と前記定電流出力ＩＣとの間に接続され、前記整流された信号をフィルタリングするローパスフィルタを更に含み、このローパスフィルタは前記全波整流器と前記定電流出力ＩＣとの間に接続されたレジスタ、および前記レジスタと前記接地との間に接続されたコンデンサを含む請求項１０に記載の光源モジュール。
【請求項１２】
前記電圧低下ユニットは、レジスタまたはツェナーダイオードを含む請求項１０に記載の光源モジュール。
【請求項１３】
前記ＨＶＬＥＤダイのそれぞれの駆動電圧は、１０ボルトより大きい請求項１０に記載の光源モジュール。
【請求項１４】
前記ＨＶＬＥＤダイ間の駆動電圧差は、１ボルト以下である請求項１０に記載の光源モジュール。
【請求項１５】
前記ＨＶＬＥＤダイの全駆動電圧は、前記ＡＣ電源の電圧値の１.４倍より小さい請求項１０に記載の光源モジュール。
【請求項１６】
前記定電流出力ＩＣを電圧低下ユニットの１つに選択的に接続し、電圧低下ユニットの１つに対応した定電流信号をＨＶＬＥＤダイに提供するスイッチを更に含む請求項１０に記載の光源モジュール。
【請求項１７】
前記光源モジュールは、前記対応する電圧低下ユニットに接続された複数の定電流出力ＩＣをそれぞれ含み、前記定電流信号を前記対応するＨＶＬＥＤダイに提供する請求項１０に記載の光源モジュール。
【請求項１８】
前記定電流出力ICに接続され、前記定電流出力ＩＣのそれぞれによって出力された前記定電流信号の電流値を調整して、前記ＨＶＬＥＤダイのそれぞれの輝度を制御する第１制御器を更に含む請求項１７に記載の光源モジュール。
【請求項１９】
前記ＨＶＬＥＤダイのそれぞれは、複数の発光ダイオードを含み、前記HVLEDダイの輝度は異なり、前記ＨＶＬＥＤダイのそれぞれの発光波長は、２００ｎｍ〜８００ｎｍの範囲にある請求項１７に記載の光源モジュール。
【請求項２０】
前記ＨＶＬＥＤダイ間の駆動電圧差は、１ボルト以下である請求項１９に記載の光源モジュール。
【請求項２１】
第２制御器を更に含み、前記電圧低下ユニットのそれぞれは、可変レジスタを含み、前記第２制御器は、前記可変レジスタに接続され、前記可変レジスタのそれぞれの抵抗値を調整して前記HVLEDダイの輝度を制御する請求項１０に記載の光源モジュール。
【発明の詳細な説明】
【技術分野】
【０００１】
本発明は、光源モジュールに関し、特に、ちらつきを防止する光源モジュールに関するものである。
【背景技術】
【０００２】
図１は、従来の光源モジュール１００を表している。光源モジュール１００において、交流（ＡＣ）電源１２０は、正負半波を有する電源信号ＳACを全波整流器１１０に提供する。次いで、図２に示されるように、全波整流器１１０は、電源信号ＳACを正の半波だけを有する電源信号ＳHFに整流する。電源信号ＳHFは、電流制限抵抗器１３０を通過し、次いで発光ダイオード（ＬＥＤ）モジュール１４０に入力される。一般において、ＬＥＤの駆動電圧は、２〜４ボルトの範囲にある。ＬＥＤモジュール１４０に入力される電圧が非常に大きいため、複数のＬＥＤ（例えば、図１のＬＥＤ１４２、１４４）は、入力電圧を分散させるように直列接続される。よって、回路レイアウトの困難度および光源モジュールの寸法が増す。
【０００３】
また、図２に示されるように、ＡＣ信号を受信している時、ＬＥＤは、しばしば電流ＩRMSの実効値(Root Mean Squared value；ＲＭＳ)より上で動作されるため、ＬＥＤの効率を低減させ、次いでＬＥＤの動作寿命に影響を及ぼす。上述のように、直列接続されたＬＥＤの量は、入力電圧を分散させるために増加される必要がある。このため、一旦、ＬＥＤのいずれか１つが損傷すると、他のＬＥＤの電圧および電流が変化する。よって、ＬＥＤモジュールの動作寿命は、大幅に低下する。また、各ＬＥＤは、各自の発光色および発光角を有する。よって、単一のダイのパッケージまたは複数のダイのパッケージがＬＥＤの数を増加させるのに用いられても、ＬＥＤは互いに干渉し合い、全ての光源から発される光に影響する。また、ＬＥＤのいずれか１つが損傷した時、他のＬＥＤの電圧および電流が変化するため、他のＬＥＤの輝度が影響される。この時、他のＬＥＤが同じタイプの光を発さない場合、全ての光源の混合光は、元の設定値から外れるため、ＬＥＤから出力された光を安定して制御することが困難になる。よって、ＬＥＤモジュールの使用の困難度を増す。
【０００４】
一般に、ラッシュアワーおよびピークを過ぎた時間に提供されるＡＣ電源は、小幅な変化がある。即ち、提供されるＡＣ電源が安定していないということである。電圧または電流の小幅な変化は、ＬＥＤにちらつきを発生させ、ユーザーを不快にさせる。
【０００５】
よって、高効率および安定した光出力を持つ光源モジュールを提供することが必要である。
【発明の概要】
【発明が解決しようとする課題】
【０００６】
本発明は、高効率および安定した光出力を持つ光源モジュールを提供することを目的とする。
【課題を解決するための手段】
【０００７】
光源モジュールが提供される。本発明の模範的な実施の形態に基づき、光源モジュールは、全波整流器、定電流出力集積回路（ＩＣ）、および定電流出力ＩＣと接地との間に接続された少なくとも１つの高駆動電圧発光ダイオード（ＨＶＬＥＤ）ダイを含む。全波整流器は、ＡＣ電源に基づき、整流された信号を発生する。定電流出力ＩＣは、整流された信号に基づき、定電流信号を出力する。ＨＶＬＥＤダイの輝度は、定電流信号によって決まる。
【０００８】
また、本発明のもう１つの模範的な実施の形態に基づき、光源モジュールは、全波整流器、少なくとも１つの定電流出力ＩＣ、接地に接続された複数の高駆動電圧発光ダイオード（ＨＶＬＥＤ）ダイ、および定電流出力ＩＣと対応するＨＶＬＥＤダイとの間にそれぞれ独立して接続された複数の電圧低下ユニットを含む。全波整流器は、ＡＣ電源に基づき、整流された信号を発生する。少なくとも１つの定電流出力ＩＣは、整流された信号に基づき、少なくとも１つの定電流信号を出力する。ＨＶＬＥＤダイのそれぞれの輝度は、定電流信号および対応する電圧低下ユニットによって決まる。
【０００９】
詳細な説明は、添付の図面を参照に次の実施の形態に示される。
【発明の効果】
【００１０】
本発明によれば、定電流信号が一定の電流値に保持されたままであるため、ＨＶＬＥＤダイに光のちらつきを発生させない。また、駆動電圧の上限が特定電圧値以下に制御されるため、安定した光出力を持つ光源モジュールを提供することができる。
【図面の簡単な説明】
【００１１】
本発明は、添付の図面を参照して、次の詳細な説明から良く理解される。
【図１】従来の光源モジュールを表している。
【図２】図１の従来の光源モジュールの信号を示す波形図を表している。
【図３】本発明の実施の形態に基づく光源モジュールを表している。
【図４】本発明のもう１つの実施の形態に基づく光源モジュールを表している。
【図５Ａ】本発明のもう１つの実施の形態に基づく光源モジュールを表している。
【図５Ｂ】本発明のもう１つの実施の形態に基づく光源モジュールを表している。
【図６Ａ】本発明のもう１つの実施の形態に基づく光源モジュールを表している。
【図６Ｂ】本発明のもう１つの実施の形態に基づく光源モジュールを表している。
【図７Ａ】本発明のもう１つの実施の形態に基づく光源モジュールを表している。
【図７Ｂ】本発明のもう１つの実施の形態に基づく光源モジュールを表している。
【図７Ｃ】本発明のもう１つの実施の形態に基づく光源モジュールを表している。
【図８】電圧と光束変化率（Lumen change rate）との間の関係を示す図を表している。
【図９Ａ】本発明のもう１つの実施の形態に基づく光源モジュールを表している。
【図９Ｂ】本発明のもう１つの実施の形態に基づく光源モジュールを表している。
【図１０】本発明のもう１つの実施の形態に基づく光源モジュールを表している。
【発明を実施するための形態】
【００１２】
以下の説明は、本発明を実施する最良の方式が開示されている。この説明は、本発明の一般の原理を例示する目的のためのもので、本発明を限定するものではない。本発明の範囲は、添付の請求の範囲を参考にして決定される。
【００１３】
図３は、本発明の実施の形態に基づく光源モジュール３００を表している。光源モジュール３００は、全波整流器３１０、交流（ＡＣ）電源３２０、ローパスフィルタ（ＬＰＦ）３３０、定電流（constant current）出力集積回路（ＩＣ）３４０、電圧低下ユニット３５０、および高駆動電圧発光ダイオード（ＨＶＬＥＤ）ダイ３６０を含む。全波整流器３１０は、ＡＣ電源３２０によって提供されたＡＣ信号ＳACを信号ＳHFに整流する。ＬＰＦ３３０は、全波整流器３１０と定電流出力ＩＣ３４０との間に接続され、信号ＳHFをフィルタリングして信号ＳLPFを発生させる。実施の形態において、ＬＰＦ３３０は、レジスタＲ１およびコンデンサＣを含み、レジスタＲ１は、全波整流器３１０と定電流出力ＩＣ３４０との間に接続され、コンデンサＣは、レジスタＲ１と接地との間に接続される。信号ＳLPFに基づき、定電流出力ＩＣ３４０は、電圧低下ユニット３５０を介して、定電流信号ＩをＨＶＬＥＤダイ３６０に提供し得る。電圧低下ユニット３５０は、定電流信号Ｉの電圧を降下させるのに用いられ、ＨＶＬＥＤダイ３６０の輝度は、定電流信号Ｉによって決まる。実施の形態において、電圧低下ユニット３５０は、レジスタＲ２であり得る。他の実施の形態において、電圧低下ユニット３５０は、ツェナーダイオードであり得る。ＨＶＬＥＤダイ３６０に対する定電流信号Ｉは、ＡＣ信号ＳACに伴って変化しない一定の入力電流である。よって、異なる位置、またはピーク負荷の時間帯により、ＡＣ信号ＳACが一定でない時、定電流信号Ｉは、一定の電流値に保持されたままであるため、ＨＶＬＥＤダイ３６０に光のちらつきを発生させない。一実施の形態において、定電流出力ＩＣ３４０は、一定の出力電流を有する駆動ＩＣであり、定電流信号Ｉの電流値は、３ｍＡより大きい。また、図３では、ＨＶＬＥＤダイ３６０は、直列接続された複数の発光ダイオード（ＬＥＤ）Ｄ１〜ＤＮを含む。ＨＶＬＥＤダイ３６０は、例えば１０ボルトより大きい高駆動電圧を有する。他の実施の形態において、ＨＶＬＥＤダイ３６０は、直列、並列、またはその組み合わせで接続された複数のＬＥＤ Ｄ１〜ＤＮを含む。ＨＶＬＥＤダイ３６０の発光波長は、２００ｎｍ〜８００ｎｍの範囲にある。
【００１４】
一般に、異なる輝度および混合色を達成するために、複数のＨＶＬＥＤダイは、直列および／または並列に任意に配列され得るため、ＨＶＬＥＤダイ間の駆動電圧差は、１ボルト以下であり得る。しかしながら、ＨＶＬＥＤダイの全駆動電圧は、ＨＶＬＥＤのダイの数の増加により上昇する。また、ＨＶＬＥＤダイに流れる電流は、ＨＶＬＥＤダイの駆動電圧が上昇した時、一定の電力出力（power output）において徐々に低下し、よって、全光束値が低下する。
【００１５】
また、駆動電圧が高過ぎて、ＡＣ電源が一定でない場合、光のちらつき現象がＨＶＬＥＤダイに起きる。よって、一定の動作範囲を提供するために、駆動電圧の上限が特定の電圧値の下で制御されなければならない。この特定の電圧値は、実際の応用に基づいて決められる。注意するのは、ＡＣ電源の規格が変えられた時、本発明の実施の形態の光源モジュールによって提供された電力（power）も変化し、ＨＶＬＥＤダイの駆動電圧も変化する。よって、特定のＡＣ電源の条件下において、ＨＶＬＥＤダイの駆動電圧は、少なくとも或る電圧値以下に制御され、それにより一定でないＡＣ電源によって生じるＨＶＬＥＤの光のちらつき現象を防ぐ。
【００１６】
他の実施の形態において、異なる色温度を得るために、光源は、さまざまな波長を有する、異なる組み合わせのＨＶＬＥＤから構成される必要がある。さまざまな波長を有するＨＶＬＥＤの組み合わせを調整することで、さまざまな色温度が得られる。例えば、特定の色温度で光源のより良い効率と演色性を得るために、さまざまな波長を有するＨＶＬＥＤが配置（collocate）されて光源を形成する。具体的に言えば、光源のより高い効率とより良い演色性は、さまざまな発光波長を有するＨＶＬＥＤの組み合わせを用いることで達成され得る。しかしながら、異なる駆動電圧および光出力（light output power）がさまざまな発光波長を有するＨＶＬＥＤダイに考慮される必要がある。よって、ＨＶＬＥＤの組み合わせは、最良の効率と演色性を得るように配置されていなければならない。よって、特定の色温度において、最良の効率および演色性は、さまざまな発光波長を有するＨＶＬＥＤの組み合わせの光出力（output light power）を調整することで得られる。
【００１７】
特定のＡＣ電源において、複数のＨＶＬＥＤダイの全駆動電圧は、一定でないＡＣ電源によって生じるちらつきを防ぐために、ＡＣ電源の電圧値の１.４倍以下でなければならない。
【００１８】
また、図４に表されるように、ＨＶＬＥＤダイ３６０により大きな駆動電流を提供するために、複数の定電流出力ＩＣ３４０が並列接続される。よって、ＨＶＬＥＤダイ３６０の輝度は、全ての定電流出力ＩＣ３４０から発生された定電流信号Ｉによって決まる。
【００１９】
図５Ａは、本発明のもう１つの実施の形態に基づく光源モジュール４００を表している。図３の光源モジュール３００と比較すると、光源モジュール４００は、定電流出力ＩＣ３４０に接続された制御器４１０を更に含む。光源モジュール４００において、定電流出力ＩＣ３４０によって提供された定電流信号Ｉの電流値は、制御器４１０によって調整されるため、ＨＶＬＥＤダイ３６０の輝度が変わり、次いで既定の輝度に設定される。また、一実施の形態において、複数のＨＶＬＥＤダイ３６０は、種々のＨＶＬＥＤの組み合わせを形成するように、直列、並列、または他の方式で接続されるように用いられる。
【００２０】
図５Ｂは、本発明のもう１つの実施の形態に基づく光源モジュール５００を表している。光源モジュール５００において、可変レジスタ５１０は、定電流出力ＩＣ３４０とＨＶＬＥＤダイ３６０との間に接続される。電圧の低下を除き、可変レジスタの抵抗値は、可変レジスタ５１０に接続する制御器４１０によって調整され、ＨＶＬＥＤダイ３６０に入力される動作電流の電流値を変える。よって、ＨＶＬＥＤダイ３６０の輝度は、既定の輝度に変えられる。また、一実施の形態において、複数のＨＶＬＥＤダイ３６０は、種々のＨＶＬＥＤの組み合わせを形成するように、直列、並列、または他の方式で接続されるように用いられ得る。
【００２１】
図６Ａは、本発明のもう１つの実施の形態に基づく光源モジュール６００Ａを表している。図３の光源モジュール３００と比較すると、光源モジュール６００Ａは、Ｎ個の電圧低下ユニット３５０１〜３５０ＮおよびＮ個のＨＶＬＥＤダイ３６０１〜３６０Ｎを有し、電圧低下ユニット３５０１〜３５０Ｎのそれぞれは、定電流出力ＩＣ３４０および対応するＨＶＬＥＤダイとの間に接続される。例えば、電圧低下ユニット３５０１は、定電流出力ＩＣ３４０およびＨＶＬＥＤダイ３６０１との間に接続され、電圧低下ユニット３５０２は、定電流出力ＩＣ３４０１およびＨＶＬＥＤダイ３６０２との間に接続される。一実施の形態において、電圧低下ユニット３５０１〜３５０Ｎのそれぞれは、レジスタである。また、異なる駆動電流は、種々の抵抗値を有する電圧低下ユニット３５０１〜３５０Ｎを選択することによって、ＨＶＬＥＤダイ３６０１〜３６０Ｎにそれぞれ提供され、それによりＨＶＬＥＤダイ３６０１〜３６０Ｎに対し異なる輝度を得ることができる。例えば、ＨＶＬＥＤダイ３６０１および３６０２は、電圧低下ユニット３５０１および３５０２の抵抗値が同じ時、同じ輝度を有する。逆に、ＨＶＬＥＤダイ３６０１および３６０２は、電圧低下ユニット３５０１および３５０２の抵抗値が異なる時、異なる輝度を有する。また、一実施の形態において、ＨＶＬＥＤダイ３６０１〜３６０Ｎは、それぞれ異なる色を有し得る。よって、異なる色は、光源モジュール６００Ａによって混合され得る。
【００２２】
図６Ｂは、発明のもう１つの実施の形態に基づく光源モジュール６００Ｂを表している。図６Ａの光源モジュール６００Ａと比較すると、光源モジュール６００Ｂは、スイッチ６１０を更に含み、スイッチ６１０は、機械または電子スイッチであり得る。光源モジュール６００Ｂにおいて、スイッチ６１０は、定電流出力ＩＣ３４０をＮ個の電圧低下ユニット３５０１〜３５０Ｎの１つに選択的に接続し、Ｎ個の電圧低下ユニット３５０１〜３５０Ｎの１つに対応したＨＶＬＥＤダイに定電流信号Ｉを提供する（即ち、電圧低下ユニットはスイッチ６１０を介して定電流出力ＩＣ３４０に接続される）。例えば、図６Ｂに表されるように、定電流出力ＩＣ３４０は、スイッチ６１０を介して電圧低下ユニット３５０Ｎに接続される。よって、定電流出力ＩＣ３４０は、定電流信号ＩをＨＶＬＥＤダイ３６０Ｎに提供し得る。一実施の形態において、ＨＶＬＥＤダイ３６０１〜３６０Ｎは、それぞれ異なる規格を有する（例えば輝度、色温度など）。例えば、ＨＶＬＥＤダイ３６０１、３６０２、および３６０Ｎは、異なる輝度を有し、赤色、緑色、および青色にそれぞれ対応する。よって、スイッチ６１０を制御することで、光源モジュール６００Ｂは、ＨＶＬＥＤダイ３６０１〜３６０Ｎの間で選択的にスイッチされ、異なる輝度および異なる発光波長を提供する。
【００２３】
図７Ａは、本発明のもう１つの実施の形態に基づく光源モジュール７００Ａを表している。光源モジュール７００Ａは、並列接続された複数の発光装置７１０１〜７１０Ｎを含む。発光装置７１０１〜７１０Ｎのそれぞれは、定電流出力ＩＣ（例えば、３４０１、３４０２…または３４０Ｎ）、電圧低下ユニット（例えば、３５０１、３５０２…または３５０Ｎ）、およびＨＶＬＥＤダイ（例えば、３６０１、３６０２…または３６０Ｎ）を含む。光源モジュール７００Ａにおいて、発光装置の定電流出力ＩＣのそれぞれは、同じまたは異なる定電流信号Ｉを対応するＨＶＬＥＤダイに提供し得る。例えば、定電流出力ＩＣ３４０１および３４０２が同じ電流値を有する定電流信号IをＨＶＬＥＤダイ３６０１および３６０２にそれぞれ提供した場合、ＨＶＬＥＤダイ３６０１および３６０２は、同じ輝度を有し得る。逆に、定電流出力ＩＣ３４０１および３４０２が定電流信号Ｉ１および定電流信号Ｉ１と異なる定電流信号Ｉ２をＨＶＬＥＤダイ３６０１および３６０２にそれぞれ提供した場合、ＨＶＬＥＤダイ３６０１および３６０２の輝度は、定電流信号Ｉ１およびＩ２によってそれぞれ別々に決まる。即ち、ＨＶＬＥＤダイ３６０１および３６０２の輝度は異なる。また、光源モジュール７００Ａにおいて、ＨＶＬＥＤダイ３６０１〜３６０Ｎは、同じまたは異なる発光色を有し得る。上述のように、各発光装置において、複数の定電流出力ＩＣまたは電圧低下ユニットに加えて複数のＨＶＬＥＤダイは、種々の輝度または種々の色の発光効果を提供するのに用いられ得る。
【００２４】
図７Ｂは、本発明のもう１つの実施の形態に基づく光源モジュール７００Ｂを表している。図７Ａの光源モジュール７００Ａと比較すると、光源モジュール７００Ｂ内の発光装置７２０１〜７２０Ｎの定電流出力ＩＣ３４０１〜３４０Ｎは、制御器４１０を介して、定電流信号Ｉの電流値を動的に調整できるため、ＨＶＬＥＤダイ３６０１〜３６０Ｎの輝度は、それぞれ変えられて所望の輝度に設定され得る。
【００２５】
図７Ｃは、本発明のもう１つの実施の形態に基づく光源モジュール７００Ｃを表している。光源モジュール７００Ｃにおいて、発光装置７３０１〜７３０Ｎの電圧低下ユニット５１０１〜５１０Ｎのそれぞれは、可変レジスタを含む。電圧の低下を除き、可変レジスタ５１０１〜５１０Ｎの抵抗値は、可変レジスタ５１０１〜５１０Ｎに接続する制御器４１０によって調整され、ＨＶＬＥＤダイ３６０１〜３６０Ｎに入力される動作電流の電流値を変える。よって、ＨＶＬＥＤダイ３６０１〜３６０Ｎの輝度は、それぞれ変えられて所望の輝度に設定され得る。
【００２６】
図８は、電圧と光束変化率との間の関係を示す図を表しており、電圧変化によって生じた光束変化率への影響を表している。図８において、曲線Ａは、ＡＣ電圧が変えられた時（例えば、ＶAVG±１０ボルト）の従来の光源モジュールの光束変化率を表しており、曲線Ｂは、ＡＣ電圧が変えられた時の本発明の実施の形態に基づく、光源モジュールの光束変化率を表している。従来の光源モジュールの光束変化率は、かなり高い（例えば±２５％）ため、光のちらつき現象が生じ易い。逆に、本発明の実施の形態に基づく、光源モジュールの光束変化率は、非常に小さいため、光のちらつき現象が生じない。本発明の実施の形態に基づき、一定の光出力および高効率を有するＬＥＤ光源が余分な高いコストまたは複雑な回路なしに得られ、ＡＣ電源の電圧を減少し得る。また、ＨＶＬＥＤダイを有する複数のＬＥＤを置き換えることは、製造コストおよび光源モジュールの大きさを減少し得る。
【００２７】
図９Ａは、本発明のもう１つの実施の形態に基づく光源モジュール９００Ａを表している。図３の光源モジュール３００と比較すると、光源モジュール９００Ａは、熱検出レジスタ（thermal detecting resistor）９２０およびレジスタＲ３を含む熱補償駆動電流ユニット９１０Ａを更に含む。熱補償駆動電流ユニット９１０Ａは、定電流出力ＩＣ３４０に接続され、ＨＶＬＥＤダイ３６０の温度変化を検出し、熱検出レジスタ９２０の抵抗値を変えて定電流出力ＩＣ３４０にフィードバック信号を伝送し、ＨＶＬＥＤダイ３６０に出力された定電流信号の電流値を変える。図９Ｂは、本発明のもう１つの実施の形態に基づく光源モジュール９００Ｂを表している。光源モジュール９００Ｂにおいて、熱補償駆動電流ユニット９１０Ｂは、熱検出レジスタ９２０およびパルス幅変調（ＰＷＭ）制御ＩＣ９３０を含む。
【００２８】
一般に、時間および動作温度の因子が増した時、ＬＥＤダイの効率は徐々に低下し、ＬＥＤダイの輝度が減衰する可能性がある。よって、ＨＶＬＥＤダイの効率低下によって生じる明白な輝度変化を防ぐために、熱補償駆動電流ユニットがＨＶＬＥＤダイの動作温度を検出するように用いられてその駆動電流を補償することで、ＨＶＬＥＤダイの輝度は、時間および動作温度の因子のために減衰されることがない。よって、熱補償駆動電流ユニットを用いることは、種々の発光波長を有するＬＥＤを長時間において同じ輝度で維持するため、全ての光源が安定した輝度および色温度を有し得る。
【００２９】
図１０は、本発明のもう１つの実施の形態に基づく光源モジュール１０００を表している。図３の光源モジュール３００に比べ、光源モジュール１０００は、トライアック（双方向三端子スイッチ；TRIAC）およびダイアック（双方向二端子スイッチ；DIAC）を含む調光器１０１０を更に含む。トライアックは、小電流／電圧を用いて大電流／電圧を制御するサイリスタであり、小型、低消費電力、高効率、および高速スイッチングなどの利点を有する。特に、調光器１０１０はＡＣ電源３２０と全波整流器３１０との間に接続され、光源モジュール１０００における定電流信号の電流値を変えてＨＶＬＥＤダイ３６０の輝度を調整し、一定の調光（dimming light）を得ることが可能である。
【００３０】
以上、本発明の好適な実施例を例示したが、これは本発明を限定するものではなく、本発明の精神及び範囲を逸脱しない限りにおいては、当業者であれば行い得る少々の変更や修飾を付加することが可能である。従って、本発明が請求する保護範囲は、特許請求の範囲を基準とする。
【符号の説明】
【００３１】
１００、３００、４００、５００、６００Ａ、６００Ｂ、７００Ａ、７００Ｂ、７００Ｃ、９００Ａ、９００Ｂ、１０００  光源モジュール
１１０、３１０  全波整流器
１２０、３２０  交流電源
１３０  電流制限抵抗器
１４０  発光ダイオード（ＬＥＤ）モジュール
１４２、１４４、Ｄ1〜ＤＮ  発光ダイオード
３３０  ローパスフィルタ（ＬＰＦ）
３４０、３４０１〜３４０Ｎ  定電流出力集積回路（ＩＣ）
３５０、３５０１〜３５０Ｎ  電圧低下ユニット
３６０、３６０１〜３６０Ｎ  高駆動電圧発光ダイオード（ＨＶＬＥＤ）
４１０  制御器
５１０、５１０１〜５１０Ｎ  レジスタ
６１０  スイッチ
７１０１〜７１０Ｎ、７２０１〜７２０Ｎ、７３０１〜７３０Ｎ  発光装置
９１０Ａ、９１０Ｂ  熱補償駆動電流ユニット
９２０  熱検出レジスタ
９３０  パルス幅変調（ＰＷＭ）制御ＩＣ
１０１０  調光器
Ｃ  コンデンサ
Ｉ  定電流信号
Ｒ１、Ｒ２  レジスタ
ＳAC  交流信号
ＳHF、ＳLPF  信号
【図１】
2011249771.tif 000003
【図２】
2011249771.tif 000004
【図３】
2011249771.tif 000005
【図４】
2011249771.tif 000006
【図５Ａ】
2011249771.tif 000007
【図５Ｂ】
2011249771.tif 000008
【図６Ａ】
2011249771.tif 000009
【図６Ｂ】
2011249771.tif 000010
【図７Ａ】
2011249771.tif 000011
【図７Ｂ】
2011249771.tif 000012
【図７Ｃ】
2011249771.tif 000013
【図８】
2011249771.tif 000014
【図９Ａ】
2011249771.tif 000015
【図９Ｂ】
2011249771.tif 000016
【図１０】
2011249771.tif 000017